(57)【要約】【課題】好適に外部入力端子に自動切り替えできるＤＶＤ再生装置を提供する。【解決手段】再生部と表示部とを備える携帯型のＤＶＤ再生装置において、１つ以上の外部入力端子と、ＣＰＵ９１に、外部入力端子から外部入力信号が入力されたか否かを判断させる入力判断プログラム９１ｃと、外部入力信号が入力されたと判断した場合に、再生部にてＤＶＤが再生されているか否かを判断させる再生判断プログラム９１ｄと、ＤＶＤが再生されていると判断した場合に、ＤＶＤのリジューム情報を取得させリジューム情報データ９３ｂとして記憶部９３に格納させるリジューム情報取得プログラム９３ｆと、再生部を制御させ、ＤＶＤの再生を停止させ外部入力信号に基づく映像データ及び音声データを再生させるとともに、外部入力端子からの外部入力信号が停止した際にリジューム情報に基づく再生位置からＤＶＤを再生させる切替制御プログラム９３ｇと、を備えた。【選択図】図２
2006217116.tif 000002
【特許請求の範囲】
【請求項１】
ＤＶＤを再生する再生部と、前記再生部により再生された映像を表示する表示部とを備える携帯型のＤＶＤ再生装置において、
１つ以上の外部入力端子と、
前記外部入力端子を介して、外部入力信号が入力されたか否かを判断する入力判断手段と、
前記入力判断手段により、外部入力信号が入力されたと判断された場合に、前記再生部にてＤＶＤが再生されているか否かを判断する再生判断手段と、
前記再生判断手段によりＤＶＤが再生されていると判断された場合に、ＤＶＤのリジューム情報を取得するリジューム情報取得手段と、
前記リジューム情報取得手段により取得されたリジューム情報を記憶するリジューム情報記憶手段と、
前記再生判断手段によりＤＶＤが再生されていると判断された場合に、前記再生部を制御して、ＤＶＤの再生を停止させ、前記外部入力端子から入力される外部入力信号に基づく映像及び音声を再生させるとともに、前記外部入力端子からの外部入力信号が停止した際に、前記リジューム情報に基づく再生位置から前記ＤＶＤを再生させる切替制御手段と、
テレビ放送信号を受信するチューナ部と、
前記入力判断手段により、外部入力信号が入力されたと判断された場合に、前記再生部にてテレビ放送信号に基づく映像及び音声が再生されているか否かを判断するテレビ再生判断手段と、
前記テレビ再生判断手段によりテレビ放送信号に基づく映像及び音声が再生されていると判断された場合に、前記再生部を制御して、テレビ放送信号に基づく映像及び音声の再生を停止させ、前記外部入力端子から入力される外部入力信号に基づく映像及び音声を再生させる第１のテレビ切替制御手段と、
前記第１のテレビ切替制御手段により、テレビ放送信号に基づく映像及び音声の再生が停止され、前記外部入力端子から入力される外部入力信号に基づく映像及び音声が再生されてからの時間を計時するテレビ計時手段と、
前記テレビ計時手段による計時時間が、予め設定された所定時間を経過した際に、前記再生部を制御して、前記外部入力端子から入力される外部入力信号に基づく映像及び音声の再生を停止させてテレビ放送信号に基づく映像及び音声を再生させる第２のテレビ切替制御手段と、
を備えることを特徴とするＤＶＤ再生装置。
【請求項２】
ＤＶＤを再生する再生部と、前記再生部により再生された映像を表示する表示部とを備えるＤＶＤ再生装置において、
１つ以上の外部入力端子と、
前記外部入力端子を介して、外部入力信号が入力されたか否かを判断する入力判断手段と、
前記入力判断手段により、外部入力信号が入力されたと判断された場合に、前記再生部にてＤＶＤが再生されているか否かを判断する再生判断手段と、
前記再生判断手段によりＤＶＤが再生されていると判断された場合に、ＤＶＤのリジューム情報を取得するリジューム情報取得手段と、
前記リジューム情報取得手段により取得されたリジューム情報を記憶するリジューム情報記憶手段と、
前記再生判断手段によりＤＶＤが再生されていると判断された場合に、前記再生部を制御して、ＤＶＤの再生を停止させ、前記外部入力端子から入力される外部入力信号に基づく映像及び音声を再生させるとともに、前記外部入力端子からの外部入力信号が停止した際に、前記リジューム情報に基づく再生位置から前記ＤＶＤを再生させる切替制御手段と
、
を備えることを特徴とするＤＶＤ再生装置。
【請求項３】
請求項２に記載のＤＶＤ再生装置において、
携帯型のＤＶＤ再生装置であることを特徴とするＤＶＤ再生装置。
【請求項４】
請求項２又は３に記載のＤＶＤ再生装置において、
前記切替制御手段により、ＤＶＤの再生が停止され、前記外部入力端子から入力される外部入力信号に基づく映像が再生されてからの時間を計時する計時手段と、を備え、
前記切替制御手段は、
前記計時手段による計時時間が、予め設定された所定時間を経過した際に、前記再生部を制御して、前記外部入力端子から入力される外部入力信号に基づく映像及び音声の再生を停止させてＤＶＤを再生させることを特徴とするＤＶＤ再生装置。
【発明の詳細な説明】
【技術分野】
【０００１】
本発明は、ＤＶＤ再生装置に関する。
【背景技術】
【０００２】
従来、テレビの前面入力端子に外部機器を接続し、当該外部機器からの信号を入力すると、自動的に当該外部機器からの入力信号に基づく画面を表示するテレビ装置が知られている（特許文献１）。
【０００３】
また、複数の外部入力端子を備えるテレビ装置において、ユーザにより予め設定された優先順位に従って、当該外部入力端子を自動選択するテレビ装置も知られている（特許文献２）。
【０００４】
また、複数の外部入力端子を備え、各外部入力端子からの入力信号の有無を調べ、入力信号の無い状態から有る状態に変化した外部入力端子を自動的に選択することにより、自動的に外部入力端子の切り替えを行う装置も知られている（特許文献３）。
【０００５】
ところで、近年、ＤＶＤ（Digital  Versatile  Disc）再生装置の需要が高まっているが、このようなＤＶＤ再生装置にも、複数の外部入力端子やテレビチューナー機能を備えるものが多い。そして、通常、このようなＤＶＤ再生装置においては、テレビチューナや複数の外部入力端子間の切り替えは、ユーザによるリモコン操作等によりなされている。
【０００６】
このような外部入力端子等の切り替えは、ユーザにとって煩雑であるため、上記のテレビ装置のように、外部入力端子からの入力信号の有無に基づいて、外部入力端子を自動的に選択することができるＤＶＤ再生装置が望まれる。
【特許文献１】特開２００２−２４７４５７
【特許文献２】特開平９−８３８８１号公報
【特許文献３】特開２００１−３４６１０１
【発明の開示】
【発明が解決しようとする課題】
【０００７】
しかしながら、例えば、ＤＶＤを再生中に外部入力端子に外部機器が接続された場合では、当該外部入力端子が自動的に選択されると、ＤＶＤが自動的に停止されてしまうこととなり、再度、ＤＶＤを再生する際には、また始めから再生しなくてはならなくなってしまい、むしろ、ユーザにとって使い勝手が悪いものとなってしまう。
【０００８】
本発明の課題は、好適に外部入力端子に自動切り替えできるＤＶＤ再生装置を提供することである。
【課題を解決するための手段】
【０００９】
請求項１に記載の発明は、ＤＶＤを再生する再生部と、前記再生部により再生された映像を表示する表示部とを備える携帯型のＤＶＤ再生装置において、
１つ以上の外部入力端子と、前記外部入力端子を介して、外部入力信号が入力されたか否かを判断する入力判断手段と、前記入力判断手段により、外部入力信号が入力されたと判断された場合に、前記再生部にてＤＶＤが再生されているか否かを判断する再生判断手段と、前記再生判断手段によりＤＶＤが再生されていると判断された場合に、ＤＶＤのリジューム情報を取得するリジューム情報取得手段と、前記リジューム情報取得手段により取得されたリジューム情報を記憶するリジューム情報記憶手段と、前記再生判断手段によりＤＶＤが再生されていると判断された場合に、前記再生部を制御して、ＤＶＤの再生を停止させ、前記外部入力端子から入力される外部入力信号に基づく映像及び音声を再生させるとともに、前記外部入力端子からの外部入力信号が停止した際に、前記リジューム情報に基づく再生位置から前記ＤＶＤを再生させる切替制御手段と、
テレビ放送信号を受信するチューナ部と、前記入力判断手段により、外部入力信号が入力されたと判断された場合に、前記再生部にてテレビ放送信号に基づく映像及び音声が再生されているか否かを判断するテレビ再生判断手段と、前記テレビ再生判断手段によりテレビ放送信号に基づく映像及び音声が再生されていると判断された場合に、前記再生部を制御して、テレビ放送信号に基づく映像及び音声の再生を停止させ、前記外部入力端子から入力される外部入力信号に基づく映像及び音声を再生させる第１のテレビ切替制御手段と、前記第１のテレビ切替制御手段により、テレビ放送信号に基づく映像及び音声の再生が停止され、前記外部入力端子から入力される外部入力信号に基づく映像及び音声が再生されてからの時間を計時するテレビ計時手段と、前記テレビ計時手段による計時時間が、予め設定された所定時間を経過した際に、前記再生部を制御して、前記外部入力端子から入力される外部入力信号に基づく映像及び音声の再生を停止させてテレビ放送信号に基づく映像及び音声を再生させる第２のテレビ切替制御手段と、を備えることを特徴としている。
【００１０】
請求項２に記載の発明は、ＤＶＤを再生する再生部と、前記再生部により再生された映像を表示する表示部とを備えるＤＶＤ再生装置において、
１つ以上の外部入力端子と、前記外部入力端子を介して、外部入力信号が入力されたか否かを判断する入力判断手段と、前記入力判断手段により、外部入力信号が入力されたと判断された場合に、前記再生部にてＤＶＤが再生されているか否かを判断する再生判断手段と、前記再生判断手段によりＤＶＤが再生されていると判断された場合に、ＤＶＤのリジューム情報を取得するリジューム情報取得手段と、前記リジューム情報取得手段により取得されたリジューム情報を記憶するリジューム情報記憶手段と、前記再生判断手段によりＤＶＤが再生されていると判断された場合に、前記再生部を制御して、ＤＶＤの再生を停止させ、前記外部入力端子から入力される外部入力信号に基づく映像及び音声を再生させるとともに、前記外部入力端子からの外部入力信号が停止した際に、前記リジューム情報に基づく再生位置から前記ＤＶＤを再生させる切替制御手段と、を備えることを特徴としている。
【００１１】
請求項３に記載の発明は、請求項２に記載のＤＶＤ再生装置において、
携帯型のＤＶＤ再生装置であることを特徴としている。
【００１２】
請求項４に記載の発明は、請求項２又は３に記載のＤＶＤ再生装置において、
前記切替制御手段により、ＤＶＤの再生が停止され、前記外部入力端子から入力される外部入力信号に基づく映像が再生されてからの時間を計時する計時手段と、を備え、
前記切替制御手段は、前記計時手段による計時時間が、予め設定された所定時間を経過した際に、前記再生部を制御して、前記外部入力端子から入力される外部入力信号に基づく映像及び音声の再生を停止させてＤＶＤを再生させることを特徴としている。
【発明の効果】
【００１３】
請求項１に記載の発明によれば、入力判断手段により、外部入力端子を介して、外部入力信号が入力されたか否かを判断し、入力判断手段により、外部入力信号が入力されたと判断された場合に、再生判断手段により、再生部にてＤＶＤが再生されているか否かを判断し、再生判断手段によりＤＶＤが再生されていると判断された場合に、リジューム情報取得手段により、ＤＶＤのリジューム情報を取得し、リジューム情報記憶手段により、取得されたリジューム情報が記憶され、切替制御手段により、再生部を制御して、ＤＶＤの再生を停止させ、外部入力端子から入力される外部入力信号に基づく映像及び音声を再生させるとともに、外部入力端子からの外部入力信号が停止した際に、リジューム情報に基づく再生位置からＤＶＤを再生させるので、外部入力端子に外部機器が接続されて、外部入力端子から外部入力信号が入力されると、切替制御手段により自動的に外部入力端子からの外部入力信号に基づく映像及び音声が再生されるとともに、リジューム情報取得手段
によりリジューム情報が取得され、外部入力端子からの外部入力信号が停止した際に、当該リジューム情報に基づく再生位置からＤＶＤの再生が行われる。従って、ＤＶＤ再生装置が外部入力端子を介して外部機器に接続されると、自動的に外部入力端子からの外部入力信号に基づく映像及び音声の再生に切り替えることができるとともに、再度ＤＶＤを再生する際にＤＶＤの始めから再生しなくても済むこととなって、より好適に外部入力端子に自動切り替えできる。
【００１４】
また、特に、携帯型のＤＶＤ再生装置においては、通常、外部機器を接続したままの状態にしておくということはないので、外部機器と接続する場合には、ユーザは外部入力信号の再生を所望すると考えられるため、外部機器と接続した際に自動的に外部入力端子からの外部入力信号に基づく映像及び音声の再生に切り替えることができると非常に便利であり、上述した効果が顕著に現れる。
【００１５】
また、入力判断手段により、外部入力信号が入力されたと判断された場合に、テレビ再生判断手段により、再生部にてテレビ放送信号に基づく映像及び音声が再生されているか否かを判断し、テレビ再生判断手段によりテレビ放送信号に基づく映像及び音声が再生されていると判断された場合に、第１のテレビ切替制御手段により、再生部を制御して、テレビ放送信号に基づく映像及び音声の再生を停止させ、外部入力端子から入力される外部入力信号に基づく映像及び音声を再生させ、テレビ計時手段により、第１のテレビ切替制御手段によりテレビ放送信号に基づく映像及び音声の再生が停止され、外部入力端子から入力される外部入力信号に基づく映像及び音声が再生されてからの時間を計時し、テレビ計時手段による計時時間が予め設定された所定時間を経過した際に、第２のテレビ切替制御手段により、再生部を制御して、外部入力端子から入力される外部入力信号に基づく映像及び音声の再生を停止させてテレビ放送信号に基づく映像及び音声を再生させる。従って、所定時間だけテレビ放送を見ないで外部機器を外部入力端子に接続してＤＶＤ再生装置を使用する場合に、ユーザが所定時間をいちいち気にしなくても、自動的に所定時間が経過した後に、外部入力端子からの外部入力情報に基づく再生からテレビ放送信号に基づく映像及び音声の再生に切り替えることができることとなって、より使い勝手の良いＤＶＤ再生装置を提供することができる。
【００１６】
請求項２に記載の発明によれば、入力判断手段により、外部入力端子を介して、外部入力信号が入力されたか否かを判断し、入力判断手段により、外部入力信号が入力されたと判断された場合に、再生判断手段により、再生部にてＤＶＤが再生されているか否かを判断し、再生判断手段によりＤＶＤが再生されていると判断された場合に、リジューム情報取得手段により、ＤＶＤのリジューム情報を取得し、リジューム情報記憶手段により、取得されたリジューム情報が記憶され、切替制御手段により、再生部を制御して、ＤＶＤの再生を停止させ、外部入力端子から入力される外部入力信号に基づく映像及び音声を再生させるとともに、外部入力端子からの外部入力信号が停止した際に、リジューム情報に基づく再生位置からＤＶＤを再生させるので、外部入力端子に外部機器が接続されて、外部入力端子から外部入力信号が入力されると、切替制御手段により自動的に外部入力端子からの外部入力信号に基づく映像及び音声が再生されるとともに、リジューム情報取得手段によりリジューム情報が取得され、外部入力端子からの外部入力信号が停止した際に、当該リジューム情報に基づく再生位置からＤＶＤの再生が行われる。従って、自動的に外部入力端子からの外部入力信号に基づく映像及び音声の再生に切り替えられても、再度ＤＶＤを再生する際にＤＶＤの始めから再生しなくても済むこととなって、好適に外部入力端子に自動切り替えできる。
【００１７】
請求項３に記載の発明によれば、請求項２に記載の発明と同様の効果が得られることは無論のこと、特に、携帯型のＤＶＤ再生装置においては、通常、外部機器を接続したままの状態にしておくということはないので、外部機器と接続する場合には、ユーザは外部入
力信号の再生を所望すると考えられるため、外部機器と接続した際に自動的に外部入力端子からの外部入力信号に基づく映像及び音声の再生に切り替えることができると非常に便利であり、上述した効果が顕著に現れる。
【００１８】
請求項４に記載の発明によれば、請求項２又は３に記載の発明と同様の効果が得られるのは無論のこと、特に、計時手段により、切替制御手段によりＤＶＤの再生が停止され、外部入力端子から入力される外部入力信号に基づく映像が再生されてからの時間が計時され、切替制御手段は、計時手段による計時時間が、予め設定された所定時間を経過した際に、再生部を制御して、外部入力端子から入力される外部入力信号に基づく映像及び音声の再生を停止させてＤＶＤを再生させるので、外部入力端子から入力される外部入力信号に基づく映像及び音声を再生する時間を決めることができ、例えば、所定時間だけＤＶＤを再生せずに、外部機器を外部入力端子に接続してＤＶＤ再生装置を使用する場合に、ユーザが所定時間をいちいち気にしなくても、自動的に所定時間が経過した後に、外部入力端子からの外部入力情報に基づく再生位置からＤＶＤの再生に切り替えることができることとなって、より使い勝手の良いＤＶＤ再生装置を提供することができる。
【発明を実施するための最良の形態】
【００１９】
以下、図を参照して本発明に係るＤＶＤ再生装置を実施するための最良の形態を詳細に説明する。本実施形態では、携帯型のＤＶＤ再生装置１を例示して、説明する。
＜ＤＶＤ再生装置の構成＞
まず、本発明にかかるＤＶＤ再生装置１の構成について、図１を参照しながら説明する。
【００２０】
ＤＶＤ再生装置１は、例えば、図１に示すように、複数の外部入力端子２，…，ＤＶＤ読取部３，チューナ部４，タイマ部５，再生部６，表示部７，音声出力部８，システムマイコン９等を備えて構成される。
【００２１】
外部入力端子２は、例えば、ハンディカメラやゲーム機等の外部機器を、ＤＶＤ再生装置１に接続することができる。
【００２２】
ＤＶＤ読取部３は、例えば、ピックアップ（図示省略），ＲＦアンプ（図示省略）等を備えて構成され、ＤＶＤに記録されている音声画像情報を読み取り、読み取った音声画像情報に基づく音声情報及び映像情報を生成する機能を果たす。より具体的には、ピックアップが所定波長のレーザ光をＤＶＤディスクの記録面に向けて照射し、その反射光を受け、当該反射光を電気信号（反射光検出信号）に変換し、ＲＦアンプに出力し、ＲＦアンプが、ＲＦ信号を生成した後にＲＦ信号をデータスライスした二値化信号等を生成し、生成した二値化信号を再生信号としてシステムマイコン９を介して再生部６に出力する。
【００２３】
チューナ部４は、例えば、テレビ放送信号の中から、ユーザにより指定されたチャンネルのテレビ放送信号を選択して受信する機能を果たす。
【００２４】
タイマ部５は、例えば、タイマ回路（図示省略）等を備えて構成され、予め設定されたタイミングからの時間をカウントし、所定時間が経過した際に、所定時間経過信号をシステムマイコン９に出力する機能を果たす。
【００２５】
再生部６は、ＡＶアンプ（図示省略）等により構成され、システムマイコン９から出力される再生信号やテレビ放送信号等に基づく映像データ及び音声データを再生し、表示部７及び音声出力部８に再生した映像データ及び音声データを出力する機能を果たす。
【００２６】
表示部７は、例えば、ＬＣＤ（Liquid  Crystal  Dysplay）パネル等からなり、ＤＶＤ
再生装置１の動作状況や、システムマイコン９から出力される映像データに基づく映像等を表示する。
【００２７】
音声出力部８は、例えば、スピーカ等により構成され、システムマイコン９から出力される音声データに基づく音声を出力する。
【００２８】
システムマイコン９は、例えば、図２に示すように、ＣＰＵ（Central  Processing  Unit）９１，ＲＡＭ（Random  Access  Memory）９２，記憶部９３等を備えて構成される
。
【００２９】
ＣＰＵ９１は、記憶部９３に格納された処理プログラム等を読み出して、ＲＡＭ９２に展開して実行することにより、ＤＶＤ再生装置１全体の制御を行う。
【００３０】
ＲＡＭ９２は、ＣＰＵ９１により実行された処理プログラム等を、ＲＡＭ９２内のプログラム格納領域に展開するとともに、入力データや上記処理プログラムが実行される際に生じる処理結果等をワークエリアに格納する。
【００３１】
記憶部９３は、例えば、プログラムやデータ等が予め記憶されている記録媒体（図示せず）を有しており、記憶媒体は、半導体メモリ等で構成されている。また、記憶部９３は、ＣＰＵ９１がＤＶＤ再生装置１全体を制御する機能を実現させるための各種データ，各種処理プログラム，これらプログラムの実行により処理されたデータ等を記憶する。より具体的には、記憶部９３は、例えば、図２に示すように、設定時間データ９３ａ，リジューム情報データ９３ｂ，入力判断プログラム９３ｃ，再生判断プログラム９３ｄ，タイマ設定判断プログラム９３ｅ，リジューム情報取得プログラム９３ｆ，切替制御プログラム９３ｇ，ＤＶＤ読取プログラム９３ｈ，再生プログラム９３ｉ，タイマプログラム９３ｊ等を格納している。
【００３２】
設定時間データ９３ａは、例えば、ユーザにより設定された所定時間である。
【００３３】
リジューム情報データ９３ｂは、例えば、ＤＶＤ再生途中で当該ＤＶＤの再生を停止する際に、ＤＶＤの再生を停止した位置の位置情報等（以下、リジューム情報）である。より具体的には、後述するリジューム情報取得プログラム９３ｆにより取得されたリジューム情報である。記憶部９３は、当該リジューム情報データ９３ｂを記憶することにより、リジューム情報記憶手段として機能する。
【００３４】
入力判断プログラム９３ｃは、例えば、ＣＰＵ９１に、外部入力端子２からシステムマイコン９に出力される外部入力信号を検出して、外部入力端子２から外部入力信号が入力されているか否かを判断する機能を実現させるプログラムである。また、ＣＰＵ９１に、外部入力端子２からシステムマイコン９に入力されていた外部入力信号の停止に基づいて、外部入力端子２から入力されていた外部入力信号が停止したことを判断する機能を実現させるプログラムである。ＣＰＵ９１は、かかる入力判断プログラム９３ｃを実行することにより、入力判断手段として機能する。
【００３５】
再生判断プログラム９３ｄは、例えば、ＣＰＵ９１に、システムマイコン９のＲＡＭ９２に一時的に記憶された出力状態、即ち、システムマイコン９から再生部６に出力される信号の種類に基づいて、再生部６で再生されているのが、ＤＶＤ，テレビ番組，ゲーム等のうちのどれかを判断する機能を実現させるプログラムである。ＣＰＵ９１は、かかる再生判断プログラム９３ｄを実行することにより、再生判断手段及びテレビ再生判断手段として機能する。
【００３６】
タイマ設定判断プログラム９３ｅは、例えば、ＣＰＵ９１に、ユーザにより所定時間の
タイマが設定されているか否かを判断するプログラムである。より具体的には、ＣＰＵ９１に、設定時間データ９３ａを検索して、所定時間が設定されているか否かを判断する機能を実現させるプログラムである。
【００３７】
リジューム情報取得プログラム９３ｆは、例えば、ＣＰＵ９１に、ＤＶＤの再生を途中で停止する場合、リジューム情報を取得して、当該リジューム情報をリジューム情報データ９３ｂとして記憶部９３に格納する機能を実現させるプログラムである。ＣＰＵ９１は、かかるリジューム情報取得プログラム９３ｆを実行することにより、リジューム情報取得手段として機能する。
【００３８】
切替制御プログラム９３ｇは、例えば、ＣＰＵ９１に、システムマイコン９から再生部６に出力される出力信号を切り替えることにより、当該再生部６において再生される映像及び音声を切り替える機能を実現させるプログラムである。より具体的には、ＣＰＵ９１に、再生部６を制御するとともに、システムマイコン９から再生部６に出力される出力信号を切り替えることにより、それまでに再生されていた、外部入力端子２又はＤＶＤ読取部３又はチューナ部４等からの入力信号に基づく映像および音声の再生を停止して、他の外部入力端子２又はＤＶＤ読取部３又はチューナ部４からの入力信号に基づく映像及び音声を再生する機能を実現させるプログラムである。ＣＰＵ９１は、かかる切替制御プログラム９３ｇを実行することにより、切替制御手段，第１のテレビ切替制御手段，第２のテレビ切替制御手段として機能する。
【００３９】
ＤＶＤ読取プログラム９３ｈは、例えば、ＣＰＵ９１に、ピックアップ等を制御して、ＤＶＤに記載されているデータを読み出す機能を実現させるプログラムである。より具体的には、ＣＰＵ９１に、ピックアップを制御して、読み出し対象となる対象データをサーチさせ、所定波長のレーザ光をＤＶＤの記録面に向けて照射させ、反射された反射光を電気信号（反射光検出信号）に変換させてＲＦアンプに出力させるとともに、ＲＦアンプを制御して、ＲＦ信号を生成させた後にＲＦ信号をデータスライスした二値化信号等を生成させ、当該二値化信号を再生信号としてシステムマイコン９を介して再生部６に出力させる機能を実現させるプログラムである。
【００４０】
再生プログラム９３ｉは、例えば、ＣＰＵ９１に、再生部６を制御して、システムマイコン９から出力される再生信号やテレビ放送信号等に基づく映像データ及び音声データを再生させ、表示部７及び音声出力部８に再生した映像データ及び音声データを出力させる機能を実現させるプログラムである。
【００４１】
タイマプログラム９３ｊは、例えば、ＣＰＵ９１に、タイマ部５を制御して、設定時間データ９３ａに記憶された所定時間をカウントさせ、所定時間が経過した際に、所定時間経過信号をシステムマイコン９に出力させる機能を実現させるプログラムである。ＣＰＵ９１は、かかるタイマプログラム９３ｊを実行することにより、計時手段及びテレビ計時手段として機能する。
＜ＤＶＤ再生装置の動作＞
次に、上述のような構成のＤＶＤ再生装置１の動作について、図３に示すフローチャートを参照しながら説明する。
【００４２】
まず、ＣＰＵ９１は、入力判断プログラム９３ｃを実行することにより、外部入力端子２から外部入力信号が入力されたか否かを判断する（ステップＳ１）。
【００４３】
ステップＳ１において、外部入力端子２から外部入力信号が入力されていないと判断した場合には（ステップＳ１；Ｎｏ）、外部入力端子２から外部入力信号が入力されるまで待機する。
【００４４】
ステップＳ１において、外部入力端子２から外部入力信号が入力されたと判断した場合には（ステップＳ１；Ｙｅｓ）、ＣＰＵ９１は、再生判断プログラム９３ｄを実行することにより、現在、テレビ放送を再生中か否かを判断する（ステップＳ２）。
【００４５】
ステップＳ２において、テレビ放送を再生中であると判断した場合には（ステップＳ２；Ｙｅｓ）、ＣＰＵ９１は、タイマ設定判断プログラム９３ｅを実行することにより、所定時間のタイマが設定されているか否かを判断する（ステップＳ３）。
【００４６】
なお、この所定時間のタイマは、予め、設定されていても良いし、ステップＳ３において設定されても良い。
【００４７】
ステップＳ３において、所定時間のタイマが設定されていないと判断した場合には（ステップＳ３；Ｎｏ）、ＣＰＵ９１は、ステップＳ４へ進み、切替制御プログラム９３ｇを実行することにより、再生部６を制御して、テレビ放送信号に基づく映像データ及び音声データの再生を停止させ、外部入力端子２から入力される外部入力信号に基づく映像データ及び音声データを再生させ、当該映像データ及び音声データを表示部７及び音声出力部８に出力させる（ステップＳ４）。
【００４８】
次に、ＣＰＵ９１は、入力判断プログラム９３ｃを実行することにより、外部入力端子２から入力されている外部入力信号が停止したか否かを判断する（ステップＳ５）。
【００４９】
ステップＳ５において、外部入力端子２からの外部入力信号が停止していないと判断した場合には（ステップＳ５；Ｎｏ）、外部入力端子２からの外部入力信号の入力が停止するまで待機する。
【００５０】
ステップ５において、外部入力端子２からの外部入力信号が停止したと判断した場合には（ステップＳ５；Ｙｅｓ）、ＣＰＵ９１は、ステップＳ８へ進み、切替制御プログラム９３ｇを実行することにより、再生部６を制御して、外部入力端子２から入力される外部入力信号に基づく映像データ及び音声データの再生を停止させ、テレビ放送信号に基づく映像・音声を再生させる（ステップＳ８）。
【００５１】
一方、ステップＳ３において、所定時間のタイマが設定されていると判断した場合には（ステップＳ３；Ｙｅｓ）、ＣＰＵ９１は、タイマプログラム９３ｊを実行することにより、タイマ部５を制御して、所定時間のカウントを開始させるとともに、切替制御プログラム９３ｇを実行することにより、再生部６を制御して、テレビ放送信号に基づく映像データ及び音声データの再生を停止させ、外部入力端子２から入力される外部入力信号に基づく映像データ及び音声データを再生させ、当該映像データ及び音声データを表示部７及び音声出力部８に出力させる（ステップＳ６）。
【００５２】
次に、ＣＰＵ９１は、タイマプログラム９３ｊを実行することにより、タイマ部５から出力される所定時間経過信号の有無に基づいて、所定時間が経過したか否かを判断する（ステップＳ７）。
【００５３】
ステップＳ７において、所定時間が経過していないと判断した場合には（ステップＳ７；Ｎｏ）、所定時間が経過するまで待機する。
【００５４】
ステップＳ７において、所定時間が経過したと判断した場合には（ステップＳ７；Ｙｅｓ）、ＣＰＵ９１は、切替制御プログラム９３ｇを実行することにより、再生部６を制御して、外部入力端子２から入力される外部入力信号に基づく映像データ及び音声データの再生を停止させ、ステップＳ１において再生されていたテレビ放送信号に基づく映像データ及び音声データを再生させ、当該映像データ及び音声データを表示部７及び音声出力部８に出力させる（ステップＳ８）。
【００５５】
また、ステップＳ２において、テレビ放送を再生中ではないと判断した場合には（ステップＳ２；Ｎｏ）、ＣＰＵ９１は、ステップＳ９に進み、ＤＶＤ再生中か否かを判断する
（ステップＳ９）。
【００５６】
ステップＳ９において、ＤＶＤを再生中ではないと判断した場合には（ステップＳ９；Ｎｏ）、ＣＰＵ９１は、ステップＳ１０へ進み、再生プログラム９３ｉを実行することにより、再生部６を制御して、外部入力端子２から入力される外部入力信号に基づく映像データ及び音声データを再生させ、当該映像データ及び音声データを表示部７及び音声出力部８に出力させる（ステップＳ１０）。
【００５７】
ステップＳ９において、ＤＶＤを再生中であると判断した場合には（ステップＳ９；Ｙｅｓ）、ＣＰＵ９１は、リジューム情報取得プログラム９３ｆを実行することにより、リジューム情報を取得し、リジューム情報データ９３ｂとして記憶部９３に格納する（ステップＳ１１）。
【００５８】
次に、ＣＰＵ９１は、タイマ設定判断プログラム９３ｅを実行することにより、所定時間のタイマが設定されているか否かを判断する（ステップＳ１２）。
【００５９】
なお、この所定時間のタイマは、予め、設定されていても良いし、ステップＳ１２において設定されても良い。
【００６０】
ステップＳ１２において、所定時間のタイマが設定されていないと判断した場合には（ステップＳ１２；Ｎｏ）、ＣＰＵ９１は、切替制御プログラム９３ｇを実行することにより、再生部６を制御して、ＤＶＤの再生を停止させ、外部入力端子２から入力される外部入力信号に基づく映像データ及び音声データを再生させ、当該映像データ及び音声データを表示部７及び音声出力部８に出力させる（ステップＳ１３）。
【００６１】
次に、ＣＰＵ９１は、入力判断プログラム９３ｃを実行することにより、外部入力端子２から入力されている外部入力信号が停止したか否かを判断する（ステップＳ１４）。
【００６２】
ステップＳ１４において、外部入力端子２からの外部入力信号が停止していないと判断した場合には（ステップＳ１４；Ｎｏ）、外部入力端子２からの外部入力信号の入力が停止するまで待機する。
【００６３】
ステップ１４において、外部入力端子２からの外部入力信号が停止したと判断した場合には（ステップＳ１４；Ｙｅｓ）、ＣＰＵ９１は、ステップＳ１７へ進み、切替制御プログラム９３ｇを実行することにより、再生部６を制御して、外部入力端子２から入力される外部入力信号に基づく映像データ及び音声データの再生を停止させ、リジューム情報データ９３ｂに記憶されたリジューム情報に基づく再生位置からＤＶＤを再生させる（ステップＳ１７）。
【００６４】
一方、ステップＳ１２において、所定時間のタイマが設定されていると判断した場合には（ステップＳ１２；Ｙｅｓ）、ＣＰＵ９１は、タイマプログラム９３ｊを実行することにより、タイマ部５を制御して、所定時間のカウントを開始させるとともに、切替制御プログラム９３ｇを実行することにより、再生部６を制御して、ＤＶＤの再生を停止させ、外部入力端子２から入力される外部入力信号に基づく映像データ及び音声データを再生させ、当該映像データ及び音声データを表示部７及び音声出力部８に出力させる（ステップＳ１１５）。
【００６５】
次に、ＣＰＵ９１は、タイマプログラム９３ｊを実行することにより、タイマ部５から出力される所定時間経過信号の有無に基づいて、所定時間が経過したか否かを判断する（ステップＳ１６）。
【００６６】
ステップＳ１６において、所定時間が経過していないと判断した場合には（ステップＳ１６；Ｎｏ）、所定時間が経過するまで待機する。
【００６７】
ステップＳ１６において、所定時間が経過したと判断した場合には（ステップＳ１６；Ｙｅｓ）、ＣＰＵ９１は、切替制御プログラム９３ｇを実行することにより、再生部６を制御して、外部入力端子２から入力される外部入力信号に基づく映像データ及び音声デー
タの再生を停止させ、リジューム情報データ９３ｂに記憶されたリジューム情報に基づく再生位置からＤＶＤを再生させる（ステップＳ１７）。
【００６８】
以上に説明した、ＤＶＤ再生装置１によれば、ＣＰＵ９１は、入力判断プログラム９３ｃを実行することにより、外部入力端子２を介して外部入力信号が入力されたか否かを判断し、外部入力信号が入力されたと判断した場合に、再生判断プログラム９３ｄを実行することにより、再生部６にてＤＶＤが再生されているか否かを判断し、ＤＶＤが再生されていると判断した場合に、リジューム情報取得プログラム９３ｆを実行することにより、ＤＶＤのリジューム情報を取得し、リジューム情報データ９３ｂとして記憶部９３に取得したリジューム情報を記憶し、切替制御プログラム９３ｇを実行することにより、再生部６を制御して、ＤＶＤの再生を停止させ、外部入力端子２から入力される外部入力信号に基づく映像データ及び音声データを再生させるとともに、外部入力端子２からの外部入力信号が停止した際に、リジューム情報に基づく再生位置からＤＶＤを再生させるので、外部入力端子２に外部機器が接続されて、外部入力端子２から外部入力信号が入力されると、自動的に外部入力端子２からの外部入力信号に基づく映像データ及び音声データが再生されるとともに、リジューム情報が取得され、外部入力端子２からの外部入力信号が停止した際に、当該リジューム情報に基づく再生位置からＤＶＤの再生が行われる。従って、ＤＶＤ再生装置１が外部入力端子２を介して外部機器に接続されると、自動的に外部入力端子２からの外部入力信号に基づく映像データ及び音声データの再生に切り替えることができるとともに、再度ＤＶＤを再生する際にＤＶＤの始めから再生しなくても済むこととなって、より好適に外部入力端子２に自動切り替えできる。
【００６９】
また、特に、携帯型のＤＶＤ再生装置１においては、通常、外部機器を接続したままの状態にしておくということはないので、外部機器と接続する場合には、ユーザは外部入力信号の再生を所望すると考えられるため、外部機器と接続した際に自動的に外部入力端子２からの外部入力信号に基づく映像及び音声の再生に切り替えることができると非常に便利であり、上述した効果が顕著に現れる。
【００７０】
また、ＣＰＵ９１は、入力判断プログラム９３ｃを実行することにより、外部入力信号が入力されたと判断した場合に、再生判断プログラム９３ｄを実行することにより、再生部６にてテレビ放送信号に基づく映像データ及び音声データが再生されているか否かを判断し、テレビ放送信号に基づく映像データ及び音声データが再生されていると判断した場合に、切替制御プログラム９３ｇを実行することにより、再生部６を制御して、テレビ放送信号に基づく映像データ及び音声データの再生を停止させ、外部入力端子２から入力される外部入力信号に基づく映像データ及び音声データを再生させ、タイマプログラム９３ｊを実行することにより、テレビ放送信号に基づく映像データ及び音声データの再生が停止され、外部入力端子２から入力される外部入力信号に基づく映像データ及び音声データが再生されてからの時間を計時し、計時時間が予め設定された所定時間を経過した際に、切替制御プログラム９３ｇを実行することにより、再生部６を制御して、外部入力端子２から入力される外部入力信号に基づく映像データ及び音声データの再生を停止させてテレビ放送信号に基づく映像データ及び音声データを再生させる。従って、所定時間だけテレビ放送を見ないで外部機器を外部入力端子２に接続してＤＶＤ再生装置１を使用する場合に、ユーザが所定時間をいちいち気にしなくても、自動的に所定時間が経過した後に、外部入力端子２からの外部入力情報に基づく再生からテレビ放送信号に基づく映像及び音声の再生に切り替えることができることとなって、より使い勝手の良いＤＶＤ再生装置１を提供することができる。
【００７１】
また、ＣＰＵ９１は、タイマプログラム９３ｊを実行することにより、ＤＶＤの再生が停止され、外部入力端子２から入力される外部入力信号に基づく映像が再生されてからの時間が計時され、切替制御プログラム９３ｇを実行することにより、計時時間が予め設定
された所定時間を経過した際に、再生部６を制御して、外部入力端子２から入力される外部入力信号に基づく映像データ及び音声データの再生を停止させてＤＶＤを再生させるので、外部入力端子２から入力される外部入力信号に基づく映像及び音声を再生する時間を決めることができ、例えば、所定時間だけＤＶＤを再生せずに、外部機器を外部入力端子２に接続してＤＶＤ再生装置１を使用する場合に、ユーザが所定時間をいちいち気にしなくても、自動的に所定時間が経過した後に、外部入力端子２からの外部入力情報に基づく再生位置からＤＶＤの再生に切り替えることができることとなって、より使い勝手の良いＤＶＤ再生装置１を提供することができる。
【００７２】
なお、本発明のＤＶＤ再生装置は本実施形態に限定されるものではなく、据え置き型のＤＶＤ再生装置であっても良い。
【００７３】
また、外部入力端子は、一つであってもよい。
【００７４】
また、所定時間のタイマの設定は、テレビ番組の切り替わりの時刻によって定められても良いし、ユーザにより任意に設定されても良い。
【図面の簡単な説明】
【００７５】
【図１】本発明に係るＤＶＤ再生装置の構成を示すブロック図である。
【図２】本発明に係るシステムマイコンの構成を示す図である。
【図３】本発明に係るＤＶＤ再生装置の動作を説明するフローチャートである。
【符号の説明】
【００７６】
１  ＤＶＤ再生装置
２  外部入力端子
４  チューナ部
６  再生部
７  表示部
９１  ＣＰＵ（入力判断手段，再生判断手段，リジューム情報取得手段，切替制御手段，計時手段，テレビ再生判断手段，第１のテレビ切替制御手段，テレビ計時手段，第２のテレビ切替制御手段）
９３  記憶部（リジューム情報記憶手段）
９３ｂ  リジューム情報データ（リジューム情報記憶手段）
９３ｃ  入力判断プログラム（入力判断手段）
９３ｄ  再生判断プログラム（再生判断手段，テレビ再生判断手段）
９３ｆ  リジューム情報取得プログラム（リジューム情報取得手段）
９３ｇ  切替制御プログラム（切替制御手段，第１のテレビ切替制御手段，第２のテレビ切替制御手段）
９３ｊ  タイマプログラム（計時手段，テレビ計時手段）
【図１】
2006217116.tif 000003
【図２】
2006217116.tif 000004
【図３】
2006217116.tif 000005